【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
次の工程：
工程a) プロピレンを、任意に、エチレン及び式CH2=CHT1 (ここで、T1はC2〜C20アルキル基である)のα-オレフィンから選択される1種以上のモノマーと、
i) 式(I)：
【化１】
2007505173.tif 000001
[式中：
Mは元素周期表の3、4、5、6族又はランタニド若しくはアクチニド族に属するものか
ら選択される遷移金属原子であり；
pは0〜3の整数であって金属Mの見かけの酸化状態マイナス2に等しく；
Xは同一又は異なって、水素原子、ハロゲン原子又はR、OR、OSO2CF3、OCOR、SR、NR2若しくはPR2基(ここで、Rは、元素周期表の13〜17族に属するヘテロ原子を任意に含有していてもよい直鎖又は分枝鎖状で飽和又は不飽和のC1〜C20アルキル、C3〜C20シクロアルキル、C6〜C20アリール、C7〜C20アルキルアリール又はC7〜C20アリールアルキル基である)であるか、あるいは2つのXは、置換又は非置換のブタジエニル基又はOR'O基(ここで、R'は、C1〜C20アルキリデン、C6〜C40アリーリデン、C7〜C40アルキルアリーリデン及びC7〜C40アリールアルキリデン基から選択される2価の基である)を任意に形成することができ；
Lは、元素周期表の13〜17族に属するヘテロ原子を任意に含有していてもよいC1〜C20アルキリデン、C3〜C20シクロアルキリデン、C6〜C20アリーリデン、C7〜C20アルキルアリーリデン又はC7〜C20アリールアルキリデン基、及び5つまでのケイ素原子を含有するシリリデン基から選択される2価の橋架け基であり；
R1は、元素周期表の13〜17族に属する1つ又はそれより多いヘテロ原子を任意に含有していてもよい直鎖状又は分枝鎖状で飽和又は不飽和のC1〜C40アルキル基であり；
R2は分枝鎖状のC1〜C40アルキル基であり；
Tは互いに等しいか又は異なって、式(IIIa)又は(IIIb)：
【化２】
2007505173.tif 000002
(式中、：
*印を付した原子は、式(I)の化合物中の同じ印を付した原子と結合し；
R5、R6、R7、R8及びR9は互いに等しいか又は異なって、水素原子、あるいは元素周期表の13〜17族に属する1つ又はそれより多いヘテロ原子を任意に含有していてもよい直鎖状又は分枝鎖状で飽和又は不飽和のC1〜C40アルキル、C3〜C40シクロアルキル、C6〜C40アリール、C7〜C40アルキルアリール又はC7〜C40アリールアルキル基であるか；あるいは2つ又はそれより多いR5、R6、R7、R8及びR9は一緒に、C1〜C20アルキル置換分を有し得る飽和又は不飽和の4〜7員環を形成することができ；
R10は、水素原子、あるいは元素周期表の13〜17族に属する1つ又はそれより多いヘテロ原子を任意に含有していてもよい直鎖状又は分枝鎖状で飽和又は不飽和のC1〜C20アルキル、C3〜C20シクロアルキル、C6〜C20アリール、C7〜C20アルキルアリール又はC7〜C20アリールアルキル基であり；
R11、R12及びR13は互いに等しいか又は異なって、水素原子、あるいは元素周期表の13〜17族に属する1つ又はそれより多いヘテロ原子を任意に含有していてもよい直鎖状又は分枝鎖状で飽和又は不飽和のC1〜C20アルキル、C3〜C20シクロアルキル、C6〜C20アリール、C7〜C20アルキルアリール又はC7〜C20アリールアルキル基であるか；あるいは2つ又はそれより多いR11、R12及びR13は一緒に、C1〜C20アルキル置換分を有し得る飽和又は不飽和の4〜7員環を形成することができる)
の部分である]
の1種以上のメタロセン化合物と、
ii) アルモキサン又はアルキルメタロセンカチオンを形成し得る化合物
とを含む、多孔性有機ポリマー上に担持された触媒系の存在下に重合させ、
工程b) 重合条件下で、気相において、エチレンを式CH2=CHT2 (ここで、T2はC1〜C20アルキル基である)の1種以上のα-オレフィンと、任意に非共役ジエンと、工程a)で得られたポリマーの存在下に接触させる、
を含む多段方法。
【請求項２】
触媒系が、iii) 有機アルミニウム化合物をさらに含む請求項1に記載の多段方法。
【請求項３】
工程b)が、追加の有機アルミニウム化合物の存在下で行われる請求項1又は2に記載の多段方法。
【請求項４】
Mがチタン、ジルコニウム又はハフニウムであり；Xが水素原子、ハロゲン原子又はR基(ここで、Rは元素周期表の13〜17族に属するヘテロ原子を任意に含有していてもよい直鎖又は分枝鎖状で飽和又は不飽和のC1〜C20アルキル、C3〜C20シクロアルキル、C6〜C20アリール、C7〜C20アルキルアリール又はC7〜C20アリールアルキル基である)であり；LがSi(Me)2、SiPh2、SiPhMe、SiMe(SiMe3)、CH2、(CH2)2、(CH2)3及びC(CH3)2から選択される請求項1〜3のいずれか1つに記載の多段方法。
【請求項５】
R1がメチル又はエチル基であり；R2が式(II)：
【化３】
2007505173.tif 000003
(式中、R3及びR4は互いに等しいか又は異なって、元素周期表の13〜17族に属する1つ又はそれより多いヘテロ原子を任意に含有していてもよい直鎖状又は分枝鎖状で飽和又は不飽和のC1〜C10アルキル基である)の基であり；R10が水素原子又は直鎖状若しくは分枝鎖状で飽和のC1〜C20アルキル基である請求項1〜4のいずれか1つに記載の多段方法。
【請求項６】
式(I)の化合物において、R5、R6、R8及びR9が水素原子であり、R7が式-C(R14)3 (ここで、R14は互いに等しいか又は異なって、元素周期表の13〜17族に属する1つ又はそれより多いヘテロ原子を任意に含有していてもよい直鎖状又は分枝鎖状で飽和又は不飽和のC1〜C10アルキル、C3〜C10シクロアルキル、C6〜C10アリール、C7〜C10アルキルアリール又はC7〜C10アリールアルキル基である)の基である請求項1〜5のいずれか1つに記載の多段方法。
【請求項７】
式(I)の化合物において、両方のT基が式(IIIb)を有する請求項6に記載の多段方法。
【請求項８】
式(I)の化合物において、一方のT基においてR12がC1〜C20アルキル基でありかつ他方のT基においてR12が水素である請求項7に記載の多段方法。
【請求項９】
式(I)の化合物において、一方のT基が式(IIIa)を有しかつ他方が式(IIIb)を有する請求項6に記載の多段方法。
【請求項１０】
式(I)の化合物において、両方のT基が式(IIIb)を有し、R11、R12及びR13が水素原子である請求項6に記載の多段方法。
【請求項１１】
有機多孔性ポリマーが、0.1 cc/gより高い、10μm (100000Å)までの直径を有する孔による多孔度を好ましくは有する請求項1〜10のいずれか1つに記載の多段方法。
【請求項１２】
有機多孔性ポリマーにおいて、0.1μm (1000Å)〜2μm (20000Å)の間の直径を有する全ての孔による全多孔度が、0.02μm (200Å)〜10μm (100000Å)の間の直径を有する全ての孔による全多孔度の少なくとも30％である請求項11に記載の多段方法。
【請求項１３】
工程a)において、プロピレンホモポリマー又は式CH2=CHT1 (ここで、T1はC2〜C20アルキル基である)の1種以上のα-オレフィンに由来する単位を20モル％まで含有するプロピレンコポリマーが、方法全体で得られるポリマーに対して5〜90重量％得られ；かつ工程b)において、式CH2=CHT2 (ここで、T2はC1〜C20アルキル基である)の1種以上のα-オレフィンに由来する単位を5〜90モル％含有するエチレンコポリマーが、方法全体で得られるポリマーに対して10〜95重量％得られる請求項1〜12のいずれか1つに記載の多段方法。
【請求項１４】
工程b)で得られるエチレンコポリマーが、非共役ジエンを20モル％まで含有する請求項13に記載の多段方法。
【請求項１５】
工程a)において、プロピレンホモポリマーが得られる請求項13又は14に記載の多段方法。
【請求項１６】
工程b)において、コモノマーがプロピレン及び1-ブテンから選択される請求項13〜15のいずれか1つに記載の多段方法。
【請求項１７】
a) 90％より高いアイソタクチックペンタッド(mmmm)を有する、プロピレンホモポリマー又は式CH2=CHT1 (ここで、T1はC2〜C20アルキル基である)の1種以上のα-オレフィンに由来する単位を20モル％まで含有するプロピレンコポリマー5〜90重量％；
b) 式CH2=CHT2 (ここで、T2はC1〜C20アルキル基である)の1種以上のα-オレフィンに由来する単位を5〜90モル％含有するエチレンコポリマー10〜95重量％
を含み、2に等しいか又はそれより低い流動性指数を有する、請求項1〜16のいずれか1つに記載の方法により得ることができるプロピレンポリマー組成物。